(57)【特許請求の範囲】
【請求項１】
底部に結合装置が設けてある耳式体温計のプローブに被せる耳式体温計プローブカバーであって、
開口端及び前記開口端に対する密閉端を有し、前記開口端から前記密閉端までを前記プローブの被せる方向とし、かつ直径は前記被せる方向に沿って徐々に縮小し、前記密閉端は前記プローブが受ける赤外線を通過させ、中空構造を有する本体と、
前記本体の開口端に設けてある保持部と、
前記保持部の外縁に環設されたベースとを含む耳式体温計プローブカバーであり、
前記耳式体温計プローブカバーは一体成型により製造してなり、前記保持部は、前記耳式体温計の結合装置を収容する環状の肩部を有し、前記保持部と前記ベースとの結合部位に、間隔をあけて配置された複数の突起部を内向きに形成することにより、前記耳式体温計の結合装置を挟着固定し、前記突起部はそれぞれ、ベース側にガイド面、本体側に制止面を有し、ガイド面と被せる方向の間に第１夾角を形成し、制止面と被せる方向の間に第二夾角を形成し、第１夾角が第二夾角よりも小さいことを特徴とする耳式体温計プローブカバー。
【請求項２】
底部に結合装置が設けてある耳式体温計のプローブに被せる耳式体温計プローブカバーの製造方法であって、
開口端及び前記開口端に対する密閉端を有し、前記開口端から前記密閉端までを前記プローブの被せる方向とし、かつ直径は前記被せる方向に沿って徐々に縮小し、前記密閉端は前記プローブが受ける赤外線を通過させ、中空構造を有する本体を提供するステップと、
前記本体の開口端に設けてある保持部を提供するステップと、
前記保持部の外縁に環設されたベースを提供するステップとを含む耳式体温計プローブカバーの製造方法であり、
前記耳式体温計プローブカバーは一体成型により製造してなり、前記保持部は、前記耳式体温計の結合装置を収容する環状の肩部を有し、前記保持部と前記ベースとの結合部位に、間隔をあけて配置された複数の突起部を内向きに形成することにより、前記耳式体温計の結合装置を挟着固定し、前記突起部はそれぞれ、ベース側にガイド面、本体側に制止面を有し、ガイド面と被せる方向の間に第１夾角を形成し、制止面と被せる方向の間に第二夾角を形成し、第１夾角が第二夾角よりも小さいことを特徴とする耳式体温計プローブカバーの製造方法。
【発明の詳細な説明】
【技術分野】
【０００１】
本発明は、耳式体温計プローブカバー及びその製造方法に関し、特に保持部及びベース相結合部位の突起部により耳式体温計の結合装置を挟着固定する耳式体温計プローブカバーに関する。
【背景技術】
【０００２】
従来技術において、耳式体温計プローブカバーを複数部材式としたものには、特許文献１で開示された耳式体温計プローブカバーなどがあるが、複数部材式の耳式体温計プローブカバーは、製造のプロセスにおける手順を増加させ、耳式体温計プローブカバーの異なる素子の接合部において細い目地が発生し、患者の耳に挿入するときに不快感が生まれ、人間工学に適合していない。前記の問題を改善するため、特許文献2は、単一部材式の耳式体温計プローブカバー１０をさらに開示し、かつ耳式体温計プローブカバー１０とプローブ１１が、装着後に緊密に結合し、自然に緩んで抜けることがないようにするため、耳式体温計プローブカバー１０に環状溝１０１が設置してあり、プローブ１１に突起のある結合装置１１１が設置してあり（図１Ａ参照）、そのうち、環状溝１０１の内側の大きさは、結合装置１１１の大きさと同じであるため、耳式体温計プローブカバー１０をプローブ１１に装着するとき、プローブ１１の結合装置１１１が耳式体温計プローブカバー１０の環状溝１０１に引っかかり、耳式体温計プローブカバー１０が耳式体温計から脱落しにくくなっている。また、特許文献３も、環状溝１２１を含む耳式体温計プローブカバー１２を開示し（図１Ｂ参照）、耳式体温計プローブカバー１２の環状溝１２１及びプローブ１３上の結合装置１３１を相互に嵌合して、耳式体温計プローブカバー１２が緩んで抜けることがないようにしている。
【０００３】
しかし、特許文献２及び特許文献３で開示された環状溝１０１、１２１は、次の欠点を有する。１つ目は、耳式体温計プローブカバー製造のプロセスにおいて、環状溝が金型を緊密に覆うため、比較的大きな力で強制的に金型から抜く必要があり、生産が比較的困難になり、工程全体の時間が増加する。２つ目は、このタイプの耳式体温計プローブカバーに合わせ、プローブの結合装置に環状構造を設計すると、耳式体温計プローブカバーの装着及び取り出しのときに、結合装置をすべて環状溝に嵌入するか、又は環状溝から取り出す必要があり、比較的大きな力が必要であり、操作が不便である。３つ目は、操作に必要な力を少なくするため、結合装置を２つの突起構造に改良し、耳式体温計プローブカバーの環状溝を引っかけ、耳式体温計プローブカバーをプローブに装着するたびに、環状溝が結合装置の突起構造と磨擦し合い、長期間使用した後に、結合装置の２つの突起構造が徐々に磨損、変形し、環状溝で結合装置を緊密に覆うことができなくなり、耳式体温計プローブカバーが耳式体温計から脱落しやすくなる。
【特許文献１】米国特許第４９１１５５９号
【特許文献２】米国特許第５０８８８３４号
【特許文献３】米国特許第６０２２１４０号
【発明の開示】
【発明が解決しようとする課題】
【０００４】
本発明の主な目的は、保持部とベースとの結合部位の突起部を利用して耳式体温計の結合装置を挟着固定し、耳式体温計プローブカバーをプローブから脱落しにくくする耳式体温計プローブカバーを提供することにある。
【０００５】
本発明の他の目的は、突起部の成型方法が、従来技術で開示した環状溝に比べ、金型から抜くために比較的小さな力しか必要とせず、製造上比較的容易であり、工程時間を節約することができる耳式体温計プローブカバーを提供することにある。
【０００６】
本発明のもう１つの目的は、保持部の複数の突起部を利用し、結合装置を耳式体温計プローブカバーに毎回挟着固定するときの接触位置が異なるようにし、結合装置の磨耗を比較的少なくし、比較的長い使用寿命をもたせる耳式体温計プローブカバーを提供することにある。
【課題を解決するための手段】
【０００７】
従来技術の欠点を解決するため、本発明は、プローブの底部に結合装置を設けた耳式体温計のプローブに被せる耳式体温計プローブカバー及びその製造方法を提供する。耳式体温計プローブカバーは、中空構造を有する本体、保持部及びベースを含む。そのうち、本体は、開口端及び該開口端に対する密閉端を有し、開口端から密閉端までをプローブに被せる方向とし、かつ本体の直径は、被せる方向に沿って徐々に縮小し、密閉端は、プローブが受ける赤外線を通過させる。そのうち、保持部は本体の開口端に設け、ベースは保持部の外縁に環設する。耳式体温計プローブカバーは、一体成型により製造してなり、保持部は、耳式体温計の結合装置を収納する環状の肩部を有し、保持部とベースとの結合部位の近くの内側に、間隔をあけて配置された複数の突起部が形成することにより、耳式体温計の結合装置を挟着固定し、前記突起部はそれぞれ、ベース側にガイド面、本体側に制止面を有し、ガイド面と被せる方向の間に第１夾角を形成し、制止面と被せる方向の間に第二夾角を形成し、第１夾角が第二夾角よりも小さいことを特徴とする。
【発明の効果】
【０００８】
本発明の耳式体温計プローブカバーの突起部の成型方法が、従来技術で開示した環状溝に比べ、金型から抜くために比較的小さな力しか必要とせず、製造上比較的容易であり、工程時間を節約することができる。
【発明を実施するための最良の形態】
【０００９】
本発明は、耳式体温計プローブカバー及びその製造方法を開示し、利用されている耳式体温計の基本原理は、関連技術分野の通常の知識を有している者であれば理解することができるため、以下の文中の説明において、完全な説明は行わない。また、以下の文中で対照する図面は、本発明の特徴に関する構造の概要を表したものであり、実際の寸法に基づき完全に製図することではなく、また必要はもないことを先に述べる。
【００１０】
先ず、図２Ａから図２Ｅまでは、本発明に係る第１実施例であり、この耳式体温計プローブカバー２は、中空構造を有する本体２３、保持部２４及びベース２５を含み、底部に結合装置２０２が設けてある耳式体温計２０のプローブ２０１に被せるために用いられる。
【００１１】
前記の結合装置２０２は、環状、点状又は突起構造を呈することができるが、プローブ２０１は、結合装置２０２を設けることを必要とするものではない。
【００１２】
前記の本体２３は一体成型して製造されており、開口端２３１及び開口端２３１に対する密閉端２３２を有し、先端を切り取った短錐体（ｓｈｏｒｔ ｔｒｕｎｃａｔｅｄ ｃｏｎｅ）を呈することができる（図２Ａ参照）。開口端２３１から密閉端２３２までは、プローブ２０１の被せる方向Ｙであり、かつ本体２３の直径は、被せる方向（図２Ｄに矢印Ｙで示す）に沿って徐々に縮小する。本体の材質は、赤外線を透射可能なポロエチレン（ＰＥ，ｐｏｌｙｅｔｈｙｌｅｎｅ）、ポリプロピレン（ＰＰ，ｐｏｌｙｐｒｏｐｙｌｅｎｅ）、ポリカーボネート（ＰＣ，Ｐｏｌｙｃａｒｂｏｎａｔｅ）、ポリスチレン（ＰＳ，Ｐｏｌｙｓｔｙｅｎｅ）、ポリエチレンテレフタラート（ＰＥＴ，Ｐｏｌｙ Ｅｔｈｙｌｅｎｅ Ｔｅｒｅｐｈｔｈａｌａｔｅ）又はポリ塩化ビニル（ＰＶＣ，Ｐｏｌｙ Ｖｉｎｙｌ Ｃｈｉｏｒｉｄｅ）などの材料から選ぶことができる。本体２３の厚さは、開口端２３１から密閉端２３２まで徐々に薄くなる実施方法が比較的好ましい。
【００１３】
前記の密閉端２３２は、プローブ２０１が受ける赤外線を通過させるために用いられる。
【００１４】
前記の保持部２４は、本体２３の開口端２３１に設け、環状の肩部を有し、耳式体温計２０の結合装置２０２を収納するために用いる。
【００１５】
前記のベース２５は、保持部２４の外縁に環設する。
【００１６】
耳式体温計２０の結合装置２０２及び耳式体温計プローブカバー２が長期的な使用のため磨損することを防止するため、保持部２４とベース２５との結合部位の近くの内側に間隔をあけて配置された複数の突起部２７を形成することにより、耳式体温計２０の結合装置２０２を挟着固定し、耳式体温計プローブカバー２がプローブ２０１から脱落しにくいようにし、安定して被せる効果を形成する。また、耳式体温計プローブカバー２を装着するたびに、各突起部２７と結合装置２０２との接触位置が異なるため、結合装置２０２が磨損しにくく、耳式体温計２０の使用寿命を延長することができ、かつ突起部２７の成型時に、従来技術で開示された環状溝に比べ、金型から抜くために比較的小さな力しか必要とせず、工程における便利さを増加させることができる。そのうち、突起部２７の配列方式は、等間隔で配置する実施方法が好ましいが、等間隔でなく配置してもよい。そのうち、突起部２７の数は、３個とする（図２Ｂ、図２Ｃ参照）実施方法が好ましいが、保持部２４の直径の両端に略位置する２個とすることもできる。そのうち、突起部２７の成型方式は、保持部２４から直接内向きに窪ませて形成することができる（図２Ｅ参照）。そのうち、突起部２７の被せる方向Ｙに沿った断面構造は、錐形とすることができる（図２Ｂ参照）。
【００１７】
さらに安定した被せる効果を提供するため、前記の突起部２７は、ベース２５側にガイド面２７１をさらに設け、本体２３側に制止面２７２をさらに設けることができる（図２Ｄ参照）。そのうち、ガイド面２７１と制止面２７２は、それぞれ被せる方向Ｙに第１夾角θと第二夾角αを形成し、第１夾角θが第二夾角αよりも小さい場合、ガイド面２７１の傾斜度が比較的大きくなり、プローブ２０１を耳式体温計プローブカバー２内に円滑に入れるのに役立ち、耳式体温計プローブカバー２を装着するときの力を少なくさせることができる。装着が終わった後に、制止面２７２の傾斜度が比較的小さいため、耳式体温計２０の結合装置２０２が保持部２４から滑り落ちないように押え、耳式体温計プローブカバー２が緩んで抜けないようにすることができる。第１夾角θが第二夾角αよりも小さいことは、比較的優れた実施方法であるが、第１夾角θは、第二夾角αに等しくすることも、それよりも大きくすることもできる。
【００１８】
赤外線を安定して透過する効果を密閉端２３２に達成させるために、耳式体温計プローブカバー２の制止面２７２から密閉端２３２までの長さを、プローブ２０１の結合装置２０２下縁からプローブ２０１上縁までの長度よりも短くすることにより、耳式体温計プローブカバー２をプローブ２０１に被せるとき、耳式体温計２０の結合装置２０２が制止面２７２を押えることができるようにし、この耳式体温計プローブカバー保持部２４と側壁が引っ張られて変形すると同時に、密閉端２３２が径方向の外部の力を受けて外向きに引っ張られて変形し、平滑な構造面を呈し、さらに優れた赤外線安定透過の効果を提供することができる。
【００１９】
本発明に係る第１実施例は、プローブ２０１の底部に結合装置２０２が設けられた耳式体温計２０のプローブ２０１に被せる耳式体温計プローブカバー２の製造方法をさらに提供し、耳式体温計プローブカバー２の製造方法は、
（１）開口端２３１及び開口端２３１に対する密閉端２３２を有し、開口端２３１から密閉端２３２までをプローブ２０１の被せる方向Ｙとし、かつ直径は被せる方向Ｙに沿って徐々に縮小し、密閉端２３２はプローブ２０１が受ける赤外線を通過させ、中空構造を有する本体２３を提供するステップと、
（２）本体２３の開口端２３１に設けてある保持部２４を提供するステップと、
（３）保持部２４の外縁に環設されたベース２５を提供するステップと、
を含み、そのうち、この耳式体温計プローブカバー２は一体成型とし、保持部２４は、耳式体温計２０の結合装置２０２を収納する環状の肩部を有し、保持部２４とベース２５との結合部位の近くの内側に、間隔をあけて配置された複数の突起部２７が形成してあり、耳式体温計２０の結合装置２０２を挟着固定する。また、結合装置２０２、本体２３、突起部２７、密閉端２３２などの特徴は、第１実施例に記載したとおりである。
【００２０】
以上は、本発明における比較的優れた実施例でしかなく、本発明の特許出願権を限定するものではない。また、以上の説明は、本技術分野を熟知した専門家であれば理解し、実施することができるため、本発明で開示された主旨を逸脱せずに完成したその他の同等の変更又は修飾は、いずれも特許請求の範囲に含まれる。
【図面の簡単な説明】
【００２１】
【図１Ａ】耳式体温計プローブカバーの従来技術の概要図である。
【図１Ｂ】耳式体温計プローブカバーの従来技術の概要図である。
【図２Ａ】本発明に係る第１実施例の耳式体温計プローブカバーの概要図である。
【図２Ｂ】本発明に係る第１実施例の耳式体温計プローブカバーの底面図である。
【図２Ｃ】本発明に係る第１実施例の耳式体温計プローブカバーの側面図である。
【図２Ｄ】本発明に係る第１実施例の耳式体温計プローブカバー及び耳式体温計のプローブの断面図である。
【図２Ｅ】本発明に係る第１実施例の耳式体温計プローブカバーの概要図である。
【符号の説明】
【００２２】
１０      耳式体温計プローブカバー
１０１    環状溝
１１      プローブ
１１１    結合装置
１２      耳式体温計プローブカバー
１２１    環状溝
１３      プローブ
１３１    結合装置
２        耳式体温計プローブカバー
２０      耳式体温計
２０１    プローブ
２０２    結合装置
２３      本体
２３１    開口端
２３２    密閉端
２４      保持部
２５      ベース
２７      突起部
２７１    ガイド面
θ        第１夾角
２７２    制止面
α        第二夾角
Ｙ        被せる方向
【図１Ａ】
0004729071.tif 000002
【図１Ｂ】
0004729071.tif 000003
【図２Ａ】
0004729071.tif 000004
【図２Ｂ】
0004729071.tif 000005
【図２Ｃ】
0004729071.tif 000006
【図２Ｄ】
0004729071.tif 000007
【図２Ｅ】
0004729071.tif 000008